【手続補正書】
【提出日】平成17年3月18日(2005.3.18)
【手続補正１】
【補正対象書類名】明細書
【補正対象項目名】発明の名称
【補正方法】変更
【補正の内容】
【発明の名称】バッテリパック、および、電子回路
【手続補正２】
【補正対象書類名】明細書
【補正対象項目名】特許請求の範囲
【補正方法】変更
【補正の内容】
【特許請求の範囲】
【請求項１】
オペアンプ、および、前記オペアンプに接続される、１つ以上のコンデンサを含む素子群から構成され、所定の電送路を流れる電流を検出し、検出した前記電流に対応するアナログの値を、第１の積分定数で積分して出力する積分回路と、
前記オペアンプ、および、前記素子群のうちの所定の一部の素子から構成され、前記第１の積分定数より小さい、０を含む第２の積分定数で、前記オペアンプのオフセットを検出し、検出した前記オフセットに対応するアナログの値を出力するオフセット検出回路と、
前記積分回路と、前記オフセット検出回路のうちのいずれか一方を選択する選択回路と、
前記積分回路と前記オフセット検出回路のうちの、前記選択回路により選択された回路から出力されたアナログの値を、A/D変換するA/D変換回路と、
前記A/D変換回路によりデジタル化されたデータが、前記積分回路の出力に対応するデータである場合、前記データの値を積算することで、前記電送路を流れる前記電流の積算値を演算し、前記デジタル化されたデータが、前記オフセット検出回路に対応するデータである場合、前記データの値に基づいて、前記オペアンプのオフセットの電圧値を演算するデジタル演算回路と
を備えることを特徴とするバッテリパック。
【請求項２】
前記積分回路を構成する前記素子群は、前記電送路を流れる電流を検出する検出抵抗をさらに有し、
前記選択回路は、
オン状態とされた場合、前記検出抵抗の両端を短絡し、オフ状態とされた場合、前記検出抵抗の短絡を解除する第１のスイッチと、
オフ状態とされた場合、前記電送路を前記積分回路から切り離し、オン状態とされた場合、前記電送路を前記積分回路に接続する第２のスイッチと、
オフ状態とされた場合、前記素子群を構成する前記コンデンサのうちの所定のものを、前記積分回路から切り離し、オン状態とされた場合、前記積分回路から切り離された前記コンデンサを、前記積分回路に接続する第３のスイッチと
を有し、
前記積分回路を選択する場合、前記第１のスイッチをオフ状態とし、前記第２のスイッチをオン状態とし、かつ、前記第３のスイッチをオン状態とし、
前記オフセット検出回路を選択する場合、前記第１のスイッチをオン状態とし、前記第２のスイッチをオフ状態とし、かつ、前記第３のスイッチをオフ状態とする
ことを特徴とする請求項１に記載のバッテリパック。
【請求項３】
前記第３のスイッチは、オフ状態とされた場合、前記素子群を構成する全ての前記コンデンサを、前記積分回路から切り離す
ことを特徴とする請求項２に記載のバッテリパック。
【請求項４】
前記A/D変換回路、および前記デジタル演算回路は、マイクロコンピュータとして構成され、
前記マイクロコンピュータは、前記選択回路に対して、前記積分回路と前記オフセット検出回路のうちのいずれか一方を指定する指定情報を提供する指定手段をさらに有し、
前記選択回路は、前記積分回路と前記オフセット検出回路のうちの、前記指定手段より提供された前記指定情報に指定されている回路を選択する
ことを特徴とする請求項１に記載のバッテリパック。
【請求項５】
オペアンプ、および、前記オペアンプに接続される、１つ以上のコンデンサを含む素子群から構成され、所定の電送路を流れる電流を検出し、検出した前記電流に対応するアナログの値を、第１の積分定数で積分して出力する積分回路と、
前記オペアンプ、および、前記素子群のうちの所定の一部の素子から構成され、前記第１の積分定数より小さい、０を含む第２の積分定数で、前記オペアンプのオフセットを検出し、検出した前記オフセットに対応するアナログの値を出力するオフセット検出回路と、
前記積分回路と、前記オフセット検出回路のうちのいずれか一方を選択する選択回路と、
前記積分回路と前記オフセット検出回路のうちの、前記選択回路により選択された回路から出力されたアナログの値を、A/D変換するA/D変換回路と、
前記A/D変換回路によりデジタル化されたデータが、前記積分回路の出力に対応するデータである場合、前記データの値を積算することで、前記電送路を流れる前記電流の積算値を演算し、前記デジタル化されたデータが、前記オフセット検出回路に対応するデータである場合、前記データの値に基づいて、前記オペアンプのオフセットの電圧値を演算するデジタル演算回路と
を備えることを特徴とする電子回路。
【手続補正３】
【補正対象書類名】明細書
【補正対象項目名】０００１
【補正方法】変更
【補正の内容】
【０００１】
【発明の属する技術分野】
本発明は、バッテリパックおよび電子回路に関し、特に、サンプリング方式の電流積算回路において、オペアンプの温度特性によるオフセットの補正時間の短縮化を図り、電流積算を高精度に行うことができるようにしたバッテリパックおよび電子回路に関する。
【手続補正４】
【補正対象書類名】明細書
【補正対象項目名】００１４
【補正方法】変更
【補正の内容】
【００１４】
【課題を解決するための手段】
本発明のバッテリパックは、オペアンプ、および、そのオペアンプに接続される、１
つ以上のコンデンサを含む素子群から構成され、所定の電送路を流れる電流を検出し、検出した電流に対応するアナログの値を、第１の積分定数で積分して出力する積分回路と、上述したオペアンプ、および、上述した素子群のうちの所定の一部の素子から構成され、第１の積分定数より小さい０を含む第２の積分定数で、オペアンプのオフセットを検出し、検出したオフセットに対応するアナログの値を出力するオフセット検出回路と、積分回路と、オフセット検出回路のうちのいずれか一方を選択する選択回路と、積分回路とオフセット検出回路のうちの、選択回路により選択された回路から出力されたアナログの値を、A/D変換するA/D変換回路と、A/D変換回路によりデジタル化されたデータが、積分回路の出力に対応するデータである場合、そのデータの値を積算することで、電送路を流れる電流の積算値を演算し、デジタル化されたデータが、オフセット検出回路に対応するデータである場合、そのデータの値に基づいて、オペアンプのオフセットの電圧値を演算するデジタル演算回路とを備えることを特徴とする。
【手続補正５】
【補正対象書類名】明細書
【補正対象項目名】００１７
【補正方法】変更
【補正の内容】
【００１７】
A/D変換回路、およびデジタル演算回路は、マイクロコンピュータとして構成され、マイクロコンピュータは、選択回路に対して、積分回路とオフセット検出回路のうちのいずれか一方を指定する指定情報を提供する指定手段をさらに有し、選択回路は、積分回路とオフセット検出回路のうちの、指定手段より提供された指定情報に指定されている回路を選択するようにすることができる。
本発明の電子回路は、オペアンプ、および、そのオペアンプに接続される、１
つ以上のコンデンサを含む素子群から構成され、所定の電送路を流れる電流を検出し、検出した電流に対応するアナログの値を、第１の積分定数で積分して出力する積分回路と、上述したオペアンプ、および、上述した素子群のうちの所定の一部の素子から構成され、第１の積分定数より小さい０を含む第２の積分定数で、オペアンプのオフセットを検出し、検出したオフセットに対応するアナログの値を出力するオフセット検出回路と、積分回路と、オフセット検出回路のうちのいずれか一方を選択する選択回路と、積分回路とオフセット検出回路のうちの、選択回路により選択された回路から出力されたアナログの値を、A/D変換するA/D変換回路と、A/D変換回路によりデジタル化されたデータが、積分回路の出力に対応するデータである場合、そのデータの値を積算することで、電送路を流れる電流の積算値を演算し、デジタル化されたデータが、オフセット検出回路に対応するデータである場合、そのデータの値に基づいて、オペアンプのオフセットの電圧値を演算するデジタル演算回路とを備えることを特徴とする。
【手続補正６】
【補正対象書類名】明細書
【補正対象項目名】００１８
【補正方法】変更
【補正の内容】
【００１８】
本発明のバッテリパックおよび電子回路においては、オペアンプ、および、そのオペアンプに接続される、１つ以上のコンデンサを含む素子群から構成され、所定の電送路を流れる電流を検出し、検出した電流に対応するアナログの値を、第１の積分定数で積分して出力する積分回路と、上述したオペアンプ、および、上述した素子群のうちの所定の一部の素子から構成され、第１の積分定数より小さい０を含む第２の積分定数で、オペアンプのオフセットを検出し、検出したオフセットに対応するアナログの値を出力するオフセット検出回路のうちのいずれか一方が選択され、選択された回路から出力されたアナログの値を、A/D変換されて、デジタル化データとなり、そのデータが、積分回路の出力に対応するデータである場合、そのデータの値が積算されて、電送路を流れる電流の積算値が演算され、それに対して、そのデータが、オフセット検出回路に対応するデータである場合、そのデータの値に基づいて、オペアンプの入力オフセットの電圧値が演算される。
【手続補正７】
【補正対象書類名】明細書
【補正対象項目名】００１９
【補正方法】変更
【補正の内容】
【００１９】
本発明のバッテリパックおよび電子回路は、情報処理装置に搭載され、その情報処理装置に流れる、若しくは供給される電流の電流値を積算してもよいし、外部の情報処理装置に流れる、若しくは供給される電流の電流値を積算してもよいし、或いは、バッテリパックや電子回路自身を流れる、若しくは供給される電流の電流値を積算してもよい。